(57)【要約】  看護支援装置は、患者の看護情報と看護対処ルールとに基づいて看護に関する対処アラートを生成する対処アラート生成部と、前記患者の看護者に関する出力先装置に前記対処アラートを出力する対処アラート出力部と、を備える。
2020085147.tif 000002
【特許請求の範囲】
【請求項１】
患者の看護情報と看護対処ルールとに基づいて看護に関する対処アラートを生成する対処アラート生成部と、
前記患者の看護者に関する出力先装置に前記対処アラートを出力する対処アラート出力部と、
を備える看護支援装置。
【請求項２】
前記対処アラート生成部は、前記看護情報に含まれる処置に関する情報を特定し、前記処置に対応する所定処置を示す前記看護対処ルールを用いて、前記所定処置を促す対処アラートを生成する
請求項１に記載の看護支援装置。
【請求項３】
前記看護対処ルールが、特定の医薬品を示す情報に関連付けられた所定時間を示すルールを含み、
前記看護情報は、第１の時刻に登録された第１の看護情報と、前記第１の時刻よりも後の第２の時刻に登録された第２の看護情報とを含み、
前記対処アラート生成部は、前記第１および第２の看護情報が前記医薬品を示す情報を含み、かつ、前記第１の時刻と前記第２の時刻との間隔が前記所定時間以内である場合に、前記対処アラートを生成する
請求項２に記載の看護支援装置。
【請求項４】
前記看護情報は、前記患者の生体情報を含み、
前記看護対処ルールは、前記生体情報に対応する所定処置を示すルールを含み、
前記対処アラート生成部は、前記対処アラートとして、前記所定処置を促す対処アラートを生成する
請求項１から請求項３の何れか一項に記載の看護支援装置。
【請求項５】
前記患者の識別子と前記患者に関する過去の入力情報とを指定する指定情報の前記出力先装置からの取得に応答して、前記患者の入力情報に関連する看護支援情報を前記出力先装置へ出力する看護支援情報出力部と、
をさらに備える請求項１から請求項３の何れか一項に記載の看護支援装置。
【請求項６】
所定の通信装置との通信に基づいて動作を開始した前記出力先装置から前記看護情報となる入力情報を取得する取得部と、
をさらに備える請求項１から請求項４の何れか一項に記載の看護支援装置。
【請求項７】
前記看護情報に基づいて算出された重症度合を算出する重症度合算出部と、
前記重症度合に基づいて患者ごとの表示態様が異なる画像を生成して前記出力先装置へ出力する画像生成部と、
をさらに備える請求項１から請求項６の何れか一項に記載の看護支援装置。
【請求項８】
患者の看護情報と看護対処ルールとに基づいて看護に関する対処アラートを生成し、
前記患者の看護者に関する出力先装置に前記対処アラートを出力する
ことを含む看護支援方法。
【請求項９】
コンピュータに、
患者の看護情報と看護対処ルールとに基づいて看護に関する対処アラートを生成し、
前記患者の看護者に関する出力先装置に前記対処アラートを出力する、
ことを実行させるプログラムを記憶した記録媒体。
【発明の詳細な説明】
【技術分野】
【０００１】
本発明は、看護支援装置、看護支援方法、記録媒体に関する。
【背景技術】
【０００２】
患者に対する看護業務の中で看護情報を記録する作業は非常に重要である。看護に関する重要事項をもれなく記録することが求められる。ここで、看護情報とは、患者に対する看護業務の中で、患者の状態や患者への看護内容、患者の状態の変化など、患者を看護する上で、看護師が理解しておくべき情報全般を指す。患者の看護に携わる複数の看護師は、看護情報を確認することで、患者の状態を理解し、その理解に基づいて患者に対して適切な看護を行うことができる。【０００３】
ここで看護情報に関する技術が特許文献１〜４に開示されている。
特許文献１には、観察対象者について蓄積された観察結果から、観察対象者の状態を容易に把握できるようにする技術が開示されている。
特許文献２には、看護師が特定の患者について何を行う必要があるかを決定するだけでなく、患者のグループについて、特定の時間又は特定の時間範囲に何を行う必要があるかを決定することを可能にする技術が開示されている。
特許文献３には、患者の健康管理要員による行動を要求する情報を表示する技術が開示されている。
特許文献４には、看護師が患者に対して処置を実施する際に有用な知識を提示する技術が開示されている。
【先行技術文献】
【特許文献】
【０００４】
【特許文献１】国際公開第２０１５／１２５８１０号
【特許文献２】日本国特表２０１７−５１３１２５号公報
【特許文献３】日本国特開２０１６−１６７３０７号公報
【特許文献４】日本国特開２００６−２８５５６５号公報
【発明の概要】
【発明が解決しようとする課題】
【０００５】
ところで上述のような看護情報は十分に活用されていない場合が多く、看護情報を活用して看護者の患者への対処のための情報を効率よく看護師等のユーザに通知する技術が求められている。【０００６】
この発明の目的の一例は、上述の課題を解決する看護支援装置、看護支援方法、記録媒体を提供することである。
【課題を解決するための手段】
【０００７】
本発明の第１の態様によれば、看護支援装置は、患者の看護情報と看護対処ルールとに基づいて看護に関する対処アラートを生成する対処アラート生成部と、前記患者の看護者に関する出力先装置に前記対処アラートを出力する対処アラート出力部と、を備える。【０００８】
本発明の第２の態様によれば、看護支援方法は、患者の看護情報と看護対処ルールとに基づいて看護に関する対処アラートを生成し、前記患者の看護者に関する出力先装置に前記対処アラートを出力することを含む。【０００９】
本発明の第３の態様によれば、記録媒体は、コンピュータに、患者の看護情報と看護対処ルールとに基づいて看護に関する対処アラートを生成し、前記患者の看護者に関する出力先装置に前記対処アラートを出力する、ことを実行させるプログラムを記憶する。
【発明の効果】
【００１０】
本発明の実施形態によれば、看護情報を活用して看護者の患者への対処のための情報を効率よくユーザに通知する看護支援装置を提供することができる。
【図面の簡単な説明】
【００１１】
【図１】本発明の一実施形態による看護支援システムの概要を示す図である。
【図２】本発明の一実施形態による看護支援装置のハードウェア構成を示す図である。
【図３】本発明の一実施形態による看護支援装置の機能ブロック図である。
【図４】本発明の一実施形態による看護支援装置が記憶するデータ例を示す第一の図である。
【図５】本発明の一実施形態による看護支援装置が記憶するデータ例を示す第二の図である。
【図６】本発明の一実施形態による看護支援装置が記憶するデータ例を示す第三の図である。
【図７】本発明の一実施形態による看護支援装置の処理フローを示す第一の図である。
【図８】本発明の一実施形態による看護支援装置の処理フローを示す第二の図である。
【図９】本発明の一実施形態による看護支援装置の処理フローを示す第三の図である。
【図１０】本発明の一実施形態によるＵＩ画像の第一の例を示す図である。
【図１１】本発明の一実施形態によるＵＩ画像の第二の例を示す図である。
【図１２】本発明の一実施形態によるＵＩ画像の第三の例を示す図である。
【図１３】本発明の一実施形態によるＵＩ画像の第四の例を示す図である。
【図１４】本発明の一実施形態によるＵＩ画像の第五の例を示す図である。
【図１５】本発明の一実施形態によるＵＩ画像の第六の例を示す図である。
【図１６】本発明の別の実施形態による看護支援装置を示す図である。
【発明を実施するための形態】
【００１２】
以下、本発明の一実施形態による看護支援装置１を図面を参照して説明する。
図１は本実施形態による看護支援装置１を有する看護支援システム１００の概要を示す。
看護支援装置１は病院等に設置される。看護支援装置１は病院の外部に設置されてもよい。看護支援装置１はスマートフォンなどの端末２と通信接続される。看護支援装置１と端末２とにより看護支援システム１００が構成される。端末２は例えば看護師や医師が所持する。端末２はスマートフォンなどの携帯端末に代えてＰＣ等であってもよい。
【００１３】
図２は看護支援装置１のハードウェア構成を示す図である。
図２が示すように看護支援装置１はＣＰＵ（Central Processing Unit）１０１、ＲＯＭ（Read Only Memory）１０２、ＲＡＭ（Random Access Memory）１０３、データベース１０４、通信モジュール１０５等の各ハードウェアを備えたコンピュータである。
【００１４】
図３は看護支援装置１の機能ブロック図である。
看護支援装置１は看護支援プログラムを実行する。これにより看護支援装置１には、制御部１１、モデル生成部１２、取得部１３、種別判定部１４、記録部１５、対処アラート生成部１６、対処アラート出力部１７、看護支援情報出力部１８、ＵＩ画像生成部１９、重症度合算出部２０の各機能が備えられる。
【００１５】
制御部１１は他の機能部を制御する。
モデル生成部１２は、看護種別が一致する複数の患者の過去の看護情報に基づいて看護種別ごとの記録種別を特定する記録種別判定モデルを生成する。記録種別判定モデルには内容判定モデルやＳＯＡＰ判定モデルがあるが、これらの詳細な説明は後述する。
取得部１３は、端末２から受信した入力情報を取得する。
種別判定部１４は、端末２から受信した入力情報の記録種別を少なくとも判定する。
記録部１５は、少なくとも記録種別に紐づけた入力情報を看護情報として記録する。
対処アラート生成部１６は、患者の看護情報と看護対処ルールとに基づいて看護に関する対処アラートを生成する。
対処アラート出力部１７は、患者の看護者に関する出力先装置に対処アラートを出力する。本実施形態において出力先装置は端末２である。
看護支援情報出力部１８は、患者の識別子とその患者に関する過去の入力情報とを指定する指定情報の端末２からの取得に基づいて、患者の入力情報に関連する看護支援情報を端末２へ出力する。
ＵＩ画像生成部１９は端末２に出力するＵＩ画像を生成する。
重症度合算出部２０は患者の重症度合を算出する。
【００１６】
そして本実施形態による看護支援装置１は、患者の看護情報と看護対処ルールとに基づいて看護に関する対処アラートを生成し、患者の看護者に関する端末２に対処アラートを出力する。
このような処理により看護支援装置１は、看護対処ルールに基づいて特定した看護情報のある患者に対して対処アラートを端末２へ送信することで、看護師や医師などのユーザに、患者への対処のための気づきを効率よく通知することができる。
【００１７】
図４は看護支援装置１が記憶するデータ例（看護情報テーブル）を示す第一の図である。
看護支援装置１は、端末２から受信した入力情報の取得に基づいて患者ＩＤ、看護師ＩＤ、看護種別、ＳＯＡＰ種別、記録内容種別、入力情報などを紐づけた看護情報を、看護情報テーブルに記録する。看護情報テーブルはデータベース１０４に記録される。看護種別は一例として、「骨折」、「脳卒中」などの患者の疾患に応じた看護の種別を示す。看護種別は、患者の疾患に応じた看護の種別に加えて、患者の性別、年齢層などの患者属性ごとに異なる種別を示す情報であってよい。ＳＯＡＰ種別は入力情報が、“Ｓｕｂｊｅｃｔｉｖｅ（主観的情報）”、“Ｏｂｊｅｃｔｉｖｅ（客観的情報）”、“Ａｓｓｅｓｓｍｅｎｔ（評価情報）”、“Ｐｌａｎ（計画、治療情報）”の何れの種別であるかを特定する情報である。記録内容種別は、入力情報が患者のどのような状態を特定する情報である。入力情報は看護師や医師などのユーザによって端末２を介して入力された看護情報として記録すべき主要な情報である。なお看護情報には看護種別が含まれない場合もあってよい。
【００１８】
ＳＯＡＰ種別と、記録内容種別を以下で説明する。
端末２から受信した入力情報は患者に関する情報である。この入力情報は看護情報として記録される。看護支援装置１は入力情報を看護情報として記録する際に入力情報の記録種別を特定する。本実施形態において記録種別はＳＯＡＰ種別と内容種別とに大別される。記録内容種別は入力情報の内容を識別するための情報である。ＳＯＡＰとは、“Ｓｕｂｊｅｃｔｉｖｅ（主観的情報）”、“Ｏｂｊｅｃｔｉｖｅ（客観的情報）”、“Ａｓｓｅｓｓｍｅｎｔ（評価情報）”、“Ｐｌａｎ（計画、治療情報）”の頭文字を取った文言であり、これらの情報の種別を示す。以下、“Ｓｕｂｊｅｃｔｉｖｅ”の種別をＳと表記する。“Ｏｂｊｅｃｔｉｖｅ”の種別をＯと表記する。“Ａｓｓｅｓｓｍｅｎｔ”の種別をＡと表記する。“Ｐｌａｎ”の種別をＰと表記する。“Ｓｕｂｊｅｃｔｉｖｅ”は患者から直接得られた情報を示す。“Ｏｂｊｅｃｔｉｖｅ”は看護師による身体診察や検査から得られた情報を示す。“Ａｓｓｅｓｓｍｅｎｔ”は“Ｓｕｂｊｅｃｔｉｖｅ”や“Ｏｂｊｅｃｔｉｖｅ”に基づく看護師や医師による評価の情報を示す。“Ｐｌａｎ”は“Ａｓｓｅｓｍｅｎｔ”の結果として実施した計画や治療を示す。
【００１９】
図５は看護支援装置１が記憶するデータ例（内容判定モデルテーブル）を示す第二の図である。
内容判定モデルは、看護支援装置１のモデル生成部１２によって、複数の患者の過去の看護情報に基づいて生成される。内容判定モデルは、看護種別ごとに設けられる。内容判定モデルは、データベース１０４に記録される。内容判定モデルは記録内容種別を判定するためのモデルである。また看護支援装置１は看護種別に応じた内容判定モデルを特定するための内容判定モデルテーブルをデータベース１０４に記憶する。看護支援装置１はこの内容判定モデルテーブルにより看護種別に応じた内容判定モデルを特定し、その内容判定モデルを用いて入力情報の記録内容種別の判定を行う。看護情報に看護種別が含まれない場合には、看護支援装置１には一つの内容判定モデルが記録され、この内容判定モデルを用いて入力情報の記録内容種別の判定を行ってもよい。
【００２０】
図６は看護支援装置１が記憶するデータ例（ＳＯＡＰ判定モデルテーブル）を示す第三の図である。
ＳＯＡＰ判定モデルは、看護支援装置１のモデル生成部１２によって、複数の患者の過去の看護情報に基づいて生成される。ＳＯＡＰ判定モデルは、看護種別ごとに設けられる。ＳＯＡＰ判定モデルは、データベース１０４に記録する。また看護支援装置１は看護種別に応じたＳＯＡＰ判定モデルを特定するためのＳＯＡＰ判定モデルテーブルを記憶する。看護支援装置１はこのＳＯＡＰ判定モデルテーブルにより看護種別に応じたＳＯＡＰ判定モデルを特定し、そのＳＯＡＰ判定モデルを用いて入力情報のＳＯＡＰ種別の判定を行う。看護情報に看護種別が含まれない場合には、看護支援装置１には一つのＳＯＡＰ判定モデルが記録され、このＳＯＡＰ判定モデルを用いて入力情報の記録内容種別の判定を行ってもよい。例えば看護支援装置１はＳＯＡＰ判定モデルを用いて、看護情報に含まれる入力情報が、上述した“Ｓｕｂｊｅｃｔｉｖｅ（主観的情報）”、“Ｏｂｊｅｃｔｉｖｅ（客観的情報）”、“Ａｓｓｅｓｓｍｅｎｔ（評価情報）”、“Ｐｌａｎ（計画、治療情報）”のいずれの記録内容種別であるかを判定する。
【００２１】
図７は看護支援装置１の処理フローを示す第一の図である。
図７を参照して看護支援装置１の事前処理を説明する。
看護支援装置１は、電子カルテデータベースに記録されている看護情報や、過去に自装置で記憶した看護情報を取得する（ステップＳ１０１）。これら取得した看護情報には、患者ＩＤ、看護師ＩＤ、看護種別、ＳＯＡＰ種別、記録内容種別、入力情報などが含まれる。入力情報は過去に端末２を利用してユーザが音声入力した情報である。その音声入力による音声が文字に変換される。文字に変換された入力情報が看護情報として電子カルテデータベースやデータベース１０４等に記録されている。入力情報は端末２において文字入力された情報であってもよい。看護支援装置１のモデル生成部１２は、これらの過去に記録された看護情報を取得する。また例えば、データベース１０４には、看護種別ごとに、予めその看護情報に含まれる入力情報を構成する各単語や、入力情報が示す記録内容種別やＳＯＡＰ種別のクラス、そのクラスを表す文字列が与えられて看護情報に含まれている。
【００２２】
そして看護支援装置１は、記録種別判定モデルを生成する。記録種別判定モデルには、内容判定モデルやＳＯＡＰ判定モデルが含まれる。
看護支援装置１のモデル生成部１２は取得した全ての看護情報の中から未処理の看護種別に属する看護情報を特定し、それら看護情報に含まれる入力情報を取得する（ステップＳ１０２）。モデル生成部１２はまた、未処理の看護種別に属するステップＳ１０２で取得した看護情報から、全ての入力情報と、その入力情報に対応する記録内容種別、とのペアの情報を取得する。そして、モデル生成部１２は、入力情報と、その入力情報に対応する記録内容種別とのペアの情報に基づいて、新たに取得した看護情報に含まれる入力情報が、複数の記録内容種別クラスのうちのどのクラスに属するかを判定する内容判定モデルを生成する（ステップＳ１０３）。より具体的には、モデル生成部１２は、新たに取得した看護情報に含まれる入力情報を、その入力情報に含まれる複数の単語を複数次元における向きや大きさで表したベクトルに変換する。そして、モデル生成部１２は、新たに取得した看護情報に含まれる入力情報を構成する単語に基づいてその入力情報を変換したベクトルを入力として、その結果、記録内容種別のうちのいずれかの種別を出力するための、内容判定モデルを生成する。内容判定モデルは、入力情報による文章の解析結果で得られた各単語に基づいて、その単語が記録内容種別クラスの中で、偏って高頻度に現れる記録内容種別クラスを判定するためのモデルである。内容判定モデルは、一例としては、単語を何らかのベクトルで表現した場合、その単語を示すベクトルに基づいて、そのベクトルが偏って高頻度に現れる記録内容種別クラスを判定するためのモデルである。モデル生成部１２は看護種別に応じた内容判定モデルの識別情報を示す内容判定モデルテーブル（図５）を生成してデータベース１０４に記録する（ステップＳ１０４）。
【００２３】
モデル生成部１２はまた、未処理の看護種別に属するステップＳ１０２で取得した看護情報から、全ての入力情報と、その入力情報に対応するＳ／Ｏ／Ａ／ＰのいずれかのＳＯＡＰ種別と、のペアの情報を取得する。そして、モデル生成部１２は、入力情報と、その入力情報に対応するＳＯＡＰ種別とのペアの情報に基づいて、新たに取得した看護情報に含まれる入力情報が、ＳＯＡＰ種別のＳ／Ｏ／Ａ／Ｐの複数のＳＯＡＰ種別のうちのどの種別に属するかを判定するＳＯＡＰ判定モデルを生成する（ステップＳ１０５）。より具体的には、モデル生成部１２は、新たに取得した看護情報に含まれる入力情報を、その入力情報に含まれる複数の単語を複数次元における向きや大きさで表したベクトルに変換する。そして、モデル生成部１２は、新たに取得した看護情報に含まれる入力情報を構成する単語に基づいてその入力情報を変換したベクトルを入力として、その結果、ＳＯＡＰ種別のうちのいずれかの種別を出力するための、ＳＯＡＰ判定モデルを生成する。モデル生成部１２は看護種別に応じたＳＯＡＰ判定モデルの識別情報を示すＳＯＡＰ判定モデルテーブル（図６）を生成してデータベース１０４に記録する（ステップＳ１０６）。モデル生成部１２は未処理の看護種別の看護情報があるかを判定する（ステップＳ１０７）。モデル生成部１２は未処理の看護種別の看護情報がある場合にはステップＳ１０２からの処理を繰り返す。
以上の処理により看護支援装置１の事前処理が終了する。なお、内容判定モデルやＳＯＡＰ判定モデルは予め看護支援装置１が保持しておいてよい。それら内容判定モデルやＳＯＡＰ判定モデルは、Ｓｕｐｐｏｒｔ  Ｖｅｃｔｏｒ  Ｍａｃｈｉｎｅのような一般的な判別機のアルゴリズムを用いて生成されてよい。
【００２４】
図８は看護支援装置１の処理フローを示す第二の図である。
上述のように内容判定モデルテーブル、ＳＯＡＰ判定モデルテーブルが生成された状態で、看護支援装置１は入力情報の入力を受け付ける。また看護支援装置１は患者の看護情報と看護対処ルールとに基づく看護の対処アラートの生成と出力の処理を行う。
【００２５】
まず看護師や医師等のユーザは端末２に記録されている看護支援アプリケーションプログラムを起動する。これにより端末２には看護支援業務のＵＩ（Ｕｓｅｒ  Ｉｎｔｅｒｆａｃｅ）画面の端末２のディスプレイへの出力、そのＵＩ画面を用いた文字情報の入力、そのＵＩ画面の操作に基づいて入力された音声の取得、それら入力した情報の看護支援装置１への送信、看護支援装置１から受信した各種情報のＵＩ画面への出力などを行う機能が備わる。
【００２６】
ユーザは患者から直接得られた情報（Ｓ）、看護師による身体診察や検査から得られた情報（Ｏ）、患者の評価の情報（Ａ）、実施した計画や治療を示す情報（Ｐ）の何れか一つまたは複数を、適切なタイミングで端末２を用いて入力する。その入力は音声で行ってもよいし、端末２に備わる入力機能を用いて文字入力により入力してもよい。この時、ユーザは、患者ＩＤや看護師ＩＤなどの必要な患者指定情報を、ＵＩ画面を用いて指定する。またはこれら患者ＩＤや看護師ＩＤなどの必要な患者指定情報を音声入力してもよい。端末２は患者指定情報と入力情報を看護支援装置１へ送信する。
【００２７】
端末２は所定の通信装置との通信に基づいて看護支援アプリケーションプログラムによる動作を自動開始する機能を備えてよい。例えば端末２は、患者のベッド脇にある通信装置の一態様である信号発信装置から発信される信号を受信する。端末２は、受信した信号が所定の信号である場合に、看護支援アプリケーションプログラムを自動的に起動して、上記端末２の各機能を備えるようにしてよい。この場合、一例として端末２は、ユーザの音声取得開始と音声取得終了の操作等に基づいてマイクから看護師や医師等のユーザの音声と患者の音声を取得する。端末２は、その音声情報を入力情報として、その入力情報と患者指定情報とを看護支援装置１へ送信してよい。これにより端末２はユーザの起動操作を省略して音声取得開始に基づいて音声を取得し看護支援装置１へ送信するので、ユーザは看護の作業中に迅速にまたユーザの労力なく入力情報を入力することができる。端末２は、音声取得開始の操作入力なく、ユーザや患者の音声を自動取得するようにしてもよい。上述の信号発信装置は、患者指定情報のうちの患者ＩＤを信号に含めて送信し、その信号を受信した端末２が、その信号に含まれる患者ＩＤを検出してもよい。
【００２８】
取得部１３は看護支援装置１の受信した入力情報と患者指定情報とを取得する（ステップＳ２０１）。取得部１３は入力情報を種別判定部１４へ出力する。種別判定部１４は患者指定情報に含まれる患者ＩＤに紐づいて予めデータベース１０４に記録されている患者の看護種別を読み取り特定する（ステップＳ２０２）。この看護種別は患者の性別、年齢、疾患、などの患者属性に応じて定められている。種別判定部１４は内容判定モデルテーブル（図５）に記録されている情報と患者の看護種別とに基づいて、内容判定モデルを特定する。種別判定部１４は内容判定モデルのモデル式を記憶部等から取得する。種別判定部１４は入力情報を形態素解析し、得られた単語とその頻度とにより生成した入力情報ベクトルを内容判定モデルに入力する。種別判定部１４はその入力の結果、内容判定モデルを用いた判定処理による入力情報の記録内容種別を特定する（ステップＳ２０３）。
【００２９】
種別判定部１４はまた、ＳＯＡＰ判定モデルテーブルに記録されている情報と患者の看護種別とに基づいて、ＳＯＡＰ判定モデルを特定する。種別判定部１４はＳＯＡＰ判定モデルのモデル式を記憶部等から取得する。種別判定部１４は入力情報を形態素解析し、得られた単語とその頻度とにより生成した入力情報ベクトルをＳＯＡＰ判定モデルに入力する。種別判定部１４はその入力の結果、ＳＯＡＰ判定モデルを用いた判定処理による入力情報のＳＯＡＰ種別を特定する（ステップＳ２０４）。種別判定部１４はステップＳ２０１で取得した入力情報の記録内容種別とＳＯＡＰ種別とを記録部１５へ出力する。
【００３０】
また取得部１３は患者指定情報、入力情報、看護種別、記録内容種別を記録部１５へ出力する。記録部１５は看護情報テーブルに、設定種別に含まれる患者ＩＤ、看護師ＩＤ、看護種別、ＳＯＡＰ種別、記録内容種別、入力情報を紐づけた看護情報の記録を行う（ステップＳ２０５）。
【００３１】
取得部１３、種別判定部１４は、看護支援装置１が端末２から受信した入力情報を受信する度に、上記の処理を繰り返す。制御部１１は看護情報の記録の処理を終了するかを判定し（ステップＳ２０６）、終了すると判定するまで看護情報の記録の処理を繰り返す。これにより看護情報テーブル４には入院する患者の入力情報が看護情報として蓄積する。
【００３２】
ある特定の看護情報が記録されると、看護支援装置１は、その看護情報と看護対処ルールとに基づいて看護に関する対処アラートを生成し、所定の出力先装置へ出力する処理を開始する。対処アラートは、看護師や医師等のユーザに対して発せられるアラートであり、患者に対する何らかの処置（対処）を促すアラートである。対処アラートには例えば、看護師等の看護者による入院患者に対する医薬品の処方忘れの警告や、医薬品の前回投与時刻から次の医薬品の投与時刻までの間隔が所定時間未満である場合などにおける対処中止の促す警告などであってもよい。この処理は、対処アラート生成部１６が、看護情報に特定の情報が含まれ、看護対処ルールが医薬品情報を示す場合に、その看護情報が記録された登録時刻と、次のその医薬品情報の看護情報の登録時刻とが所定時間以内である場合に、対処アラートを生成する態様の一例である。看護支援装置１は上述の看護情報の記録の処理と並行して以下の処理を行う。
【００３３】
図９は看護支援装置１の処理フローを示す第三の図である。
看護支援装置１の取得部はステップＳ２０１で取得した患者指定情報と入力情報とを対処アラート生成部１６へ出力する。対処アラート生成部１６は患者指定情報から患者ＩＤを特定する（ステップＳ３０１）。対処アラート生成部１６は患者ＩＤに紐づいて予めデータベース１０４に記憶する看護種別を取得する。看護種別は、患者の疾患、その疾患などを含む患者の状態に基づく患者に対する必要な治療やケアの種類、入院期間などを特定する番号やＩＤにより示す。対処アラート生成部１６は看護種別に基づいて、予めデータベース１０４でその看護種別に紐づけて予め記憶する看護対処ルールを読み取る（ステップＳ３０２）。対処アラート生成部１６は入力情報に基づいてステップＳ２０２で特定された記録内容種別や、ステップＳ２０３で特定されたＳＯＡＰ種別に基づいて、予めデータベース１０４でその記録内容種別やＳＯＡＰ種別の何れか一方または両方の種別の組み合わせに紐づいて予め記憶する看護対処ルールを読み取るようにしてもよい。看護対処ルールは、看護種別または記録内容種別またはＳＯＡＰ種別の一つまたは何れか複数の種別に応じた看護対処のルールを示す情報であってよい。
【００３４】
対処アラート生成部１６は取得した入力情報が看護対処ルールによって特定される入力情報である場合、その看護対処ルールによって特定される所定の対処アラートを生成する（ステップＳ３０３）。対処アラート生成部１６は生成した対処アラートを対処アラート出力部へ出力する。対処アラート出力部１７はステップＳ２０１で取得した患者指定情報に含まれる看護師ＩＤに基づいて出力先となる端末２を特定する（ステップＳ３０４）。対処アラート出力部１７は特定した端末２へ対処アラートを送信する（ステップＳ３０５）。
【００３５】
端末２は、看護支援アプリケーションプログラムによる動作により、看護支援装置１と通信接続し、看護支援装置１のＵＩ画像生成部１９の生成したＵＩ画像をディスプレイに出力する。端末２は対処アラートを受信すると、対処アラートに含まれる各情報に基づいてＵＩ画像を更新する。これにより対処アラートの情報が看護師や医師等のユーザに通知される。
【００３６】
図１０はＵＩ画像の第一の例を示す図である。
看護支援装置１のＵＩ画像生成部１９は一例として図１０で示すようなＵＩ画像を生成して端末２へ出力する。図１０で示すＵＩ画像は、看護支援装置１が、ＰＣなどの卓上に配置できるディスプレイのサイズが比較的大きい端末２に送信する画像である。ＵＩ画像には端末２を利用するユーザがケアする患者の一覧表示領域１１ａと、それら患者のうち指定された患者の看護情報を表示する看護情報表示領域１１ｂとが少なくとも含まれてよい。
【００３７】
図１１はＵＩ画像の第二の例を示す図である。
対処アラート生成部１６は、上述のステップＳ３０３における対処アラートの生成時に、入力情報が所定の記録内容種別、ＳＯＡＰ種別を示す場合にアラートを出力することが規定された看護対処ルールを用いる。この場合、対処アラート生成部１６は、入力情報の記録内容種別の判定結果とＳＯＡＰ種別の判定結果とを、種別判定部１４から取得する。対処アラート生成部１６は、取得した記録内容種別とＳＯＡＰ種別の両方が、看護対処ルールに含まれる各種別に一致する場合、その看護対処ルールに記述される所定の対処アラートを生成する。
具体例として、看護対処ルールとして、記録内容種別のクラスを表す文字列が「医薬品」であり、入力情報の中に特定の医薬品名が含まれ、ＳＯＡＰ種別が「Ｐ（治療情報）」である場合、その医薬品名が示す医薬品の処方時刻から２時間空けたのちに体温測定を実施するよう促す文字列を送信することが規定されている場合について説明する。この場合、対処アラート生成部１６は、入力情報に基づいて記録内容種別が「医薬品」で、入力情報の中に特定の医薬品名が含まれ、ＳＯＡＰ種別が「Ｐ（治療情報）」であるかを判定する。対処アラート生成部１６は、入力情報に基づいて記録内容種別が「医薬品」で、入力情報の中に特定の医薬品名（図１１の例では「ロキソニン」）が含まれ、ＳＯＡＰ種別が「Ｐ（治療情報）」であると判定すると、その入力情報に含まれる処方時刻を検出する。対処アラート生成部１６は検出した処方時刻に基づいて、その処方時刻の２時間（所定時間）後に、体温測定（患者の測定）を実施するよう促す文字列を含む対処アラートを生成する。そして対処アラート出力部１７が、入力情報と共に端末２から受信した患者指定情報に含まれる看護ＩＤに基づいて端末２を特定し、その端末２に入力情報の看護情報として登録した時刻から２時間後に、体温測定を実施するよう促す文字列を含む対処アラートを送信する。端末２は、この対処アラートを受信すると、端末２のディスプレイのＵＩ画像（図１１）に対処アラートに含まれる体温測定を実施するよう促す文字列（Ａ１）を生成し、出力する。
【００３８】
他の具体例として、看護対処ルールとして、記録内容種別が「医薬品」で、入力情報の中に特定の医薬品名が含まれ、ＳＯＡＰ種別が「Ｐ（治療情報）」である場合、その特定の医薬品の投与による治療（投薬）を行った３時間後に、体温測定を実施するよう促す文字列を送信することが規定されている場合について説明する。この場合、対処アラート生成部１６は、入力情報に基づいて記録内容種別が「医薬品」で、入力情報の中に特定の医薬品名が含まれ、ＳＯＡＰ種別が「Ｐ（治療情報）」と判定されると、３時間後に、体温測定を実施するよう促す文字列を含む対処アラートを生成する。対処アラート生成部１６は看護情報に含まれる入力情報が、記録内容種別が「医薬品」で、入力情報の中に特定の医薬品名が含まれ、ＳＯＡＰ種別が「Ｐ（治療情報）」を示す場合でも、その看護情報の記録時刻から３時間経過する前に体温測定を実施した旨の入力情報が登録した場合には、対処アラートを生成しなくてよい。そして対処アラート出力部１７が、入力情報と共に端末２から受信した患者指定情報に含まれる看護ＩＤに基づいて端末２を特定し、その端末２に入力情報の看護情報として登録した時刻から３時間後に、体温測定を実施するよう促す文字列を含む対処アラートを送信する。端末２は、この対処アラートを受信すると、端末２のディスプレイのＵＩ画像（図１１）に対処アラートに含まれる体温測定を実施するよう促す文字列（Ａ１）を生成し、出力する。これにより看護師等のユーザは、投薬後、所定時間経過後の体温測定を忘れることなく実施することができる。この対処アラート生成部１６の処理は、看護情報に含まれる処置に関する情報を特定し、その処置に対応する所定処置を示す看護対処ルールを用いて、所定処置を促す対処アラートを生成する態様の一例である。所定処置は将来の処置であってよい。
【００３９】
図１０、図１１には、一例としてＰＣなどの卓上に配置できるディスプレイのサイズが比較的大きい端末２に送信されるＵＩ画像を示した。しかしながら、看護支援装置１は、その大きさや表示情報の配置を変更して、スマートフォン等の携帯型の端末２に送信するＵＩ画像を生成して、端末２に送信するようにしてもよい。
【００４０】
対処アラート生成部１６は、入力情報を取得した直後のタイミングに対処アラートを生成するだけでなく、常時看護情報を監視してその看護情報に基づいて対処アラートを生成すると判定したタイミングで、対処アラートを生成してもよい。例えば対処アラート生成部１６は、看護情報の蓄積に伴って、それら看護情報を読み取り、看護情報に含まれる患者の患者ＩＤを特定する。対処アラート生成部１６は一人目の患者の患者ＩＤを選択し、その患者ＩＤに紐づいてデータベース１０４に記録されているカルテ情報を読み取る。
【００４１】
対処アラート生成部１６は重症度合算出部２０にそのカルテ情報を出力すると共に患者の重症度合の算出を指示する。重症度合算出部２０は、患者のカルテ情報に基づいて患者の重症度合を算出する。カルテ情報には、患者に対する治療およびケア履歴が含まれる。治療およびケア履歴には、患者の疾患を識別する疾患種別、その疾患などを含む患者の状態に基づき患者に対して必要な治療やケアの種類を入院期間の各日ごとに識別する看護種別、その疾患に基づく医師手術の態様、入院期間に併発した疾患種別とその併発日、患者の入院期間における各日の体温、排尿排便回数などの状態情報などが含まれる。治療およびケア履歴には、これら以外の情報が含まれてもよい。重症度合算出部２０は、例えばこれらカルテ情報に含まれる治療や、ケア履歴に関する数値を重症度合算出式に入力して、患者の重症度合を算出してよい。重症度合算出部２０は、重症度合と閾値とを比較して、患者の重症度合のレベルが３段階、すなわち、「大」，「中」、「小」の何れであるかを判定する。重症度合算出部２０は患者の重症度合を対処アラート生成部１６へ出力する。
【００４２】
対処アラート生成部１６は患者の重症度合のレベルに応じた対処アラートを生成する。患者の重症度合のレベルは、例えば、その日の体温が、医師により指示されるコントロール値よりも高い患者や手術終了時刻から２４時間以内の患者の重症度合のレベルを「大」とする。また例えば、入院期間中に疾患を併発した患者である場合にはその患者の重症度合のレベルを「中」とする。またそれ以外の患者の重症度合のレベルを「小」とする。対処アラートは、例えばＵＩ画像中の患者の一覧表示領域１１ａにおいて患者一人一人の色を指定する情報である。またこの対処アラートには患者ＩＤが含まれる。対処アラート出力部１７はこの対処アラートを端末２へ送信する。すると端末２は、ＵＩ画像中の患者の一覧表示領域１１ａにおいて表示される患者のうち、対処アラートに含まれる患者ＩＤに対応する患者を特定する。端末２は対処アラートに含まれる色を指定する情報に基づいて、その患者の表示する色を決定し、その色を付して患者の属性（氏名、患者ＩＤなど）を表示する。一例としては、患者の重症度合のレベル「大」の場合は赤色（Ｒ）、患者の重症度合のレベル「中」の場合は黄色（Ｙ）、患者の重症度合のレベル「小」の場合は緑色（Ｇ）が設定される。端末２は対処アラートが示す患者の重症度合のレベルを色以外の他の表示態様で表示してもよい。
【００４３】
重症度合算出部２０は所定の時間間隔で各患者のカルテ情報をデータベース１０４から取得して、その時間間隔毎に各患者の重症度合を算出してよい。そしてＵＩ画像生成部１９が重症度合算出部２０の算出した各患者の重症度合を取得し、図１０や図１１で示すような患者の一覧を表示するＵＩ画像を生成する際に、各患者の重症度合に応じた色を設定して生成するようにしてよい。これにより端末２に送信されるＵＩ画像を確認した看護師は患者の重症度合を一目で把握することができる。
【００４４】
対処アラート生成部１６は、看護情報に含まれる患者の生体情報に対応する所定処置を示す看護対処ルールを用いて、所定処置を促す対処アラートを生成してもよい。
例えば対処アラート生成部１６は、看護情報の蓄積に伴って、それら看護情報を読み取り、看護情報に含まれる患者の患者ＩＤを特定する。対処アラート生成部１６は一人目の患者の患者ＩＤを選択し、その患者ＩＤに紐づいてデータベース１０４に記録されているカルテ情報を読み取る。また対処アラート生成部１６は、患者ＩＤに紐づいてデータベース１０４に記録されて看護種別を取得し、その看護種別に紐づく看護対処ルールをデータベース１０４から取得する。看護対処ルールは、例えば体温が所定閾値以上である場合に、患者の体温を下げるためのクーリングを実施するよう看護師等のユーザに促す文字列を送信することが規定されているとする。より具体的には、この看護対処ルールの具体例として、カルテ情報に体温が閾値以上に上昇した場合の医師の指示が記載されており、患者の体温がその閾値以上上昇した場合に、医師によるクーリングの指示を示す情報を看護師等のユーザに通知する文字列を送信することが規定されている場合について説明する。この場合、対処アラート生成部１６は患者のカルテ情報に基づいて患者の生体情報を取得する。より具体的には対処アラート生成部１６は、例えばカルテ情報に含まれる所定期間に計測された患者の体温を取得する。対処アラート生成部１６は、体温の変化に基づいて、所定期間において体温が所定閾値以上に上昇している場合、クーリングを実施するよう促す文字列を含む対処アラートを生成する。また対処アラート出力部１７が対処アラートを端末２に送信する。端末２はこの対処アラートを受信すると端末２のディスプレイのＵＩ画像（図１１）に対処アラートに含まれるクーリングを実施するよう促す文字列を出力する。これにより看護師等のユーザは、予め受けている指示に基づいて、指示通りにクーリングの処置を実施する。これにより看護師等のユーザは、患者の体温が上昇した際のクーリングの処置を早期に気づいて実行することができる。
【００４５】
対処アラート生成部１６は、患者の生体情報を含む入力情報が看護情報として記録された場合に、その入力情報が看護対処ルールと一致する場合に、所定処置を促す対処アラートを生成してもよい。
この看護対処ルールの具体れ例として、カルテ情報に体温が閾値以上に上昇した場合の医師の指示が記載されており、患者の体温がその閾値以上上昇した場合に、カルテ情報内の医師の指示を示す情報を看護師等のユーザに通知する文字列を送信することが規定されている場合について説明する。この場合には、対処アラート生成部１６は、カルテ情報に含まれる体温の上昇の閾値と、医師の指示情報とを取得する。対処アラート生成部１６は、看護情報に含まれる入力情報に基づいて、患者の体温の変化に基づいて、所定期間において体温が閾値以上に上昇している場合、医師の指示情報の文字列を含む対処アラートを生成する。また対処アラート出力部１７が対処アラートを端末２に送信する。端末２はこの対処アラートを受信すると端末２のディスプレイのＵＩ画像（図１１）に医師の指示情報を示す文字列を出力する。これにより看護師等のユーザは、患者の体温が閾値以上上昇した際、医師の指示に従った処置を早期行うことができる。
【００４６】
図１２はＵＩ画像の第三の例を示す図である。
看護支援装置１のＵＩ画像生成部１９は、他の例として図１２で示すようなＵＩ画像ｇ１を生成して端末２へ出力する。図１２で示すＵＩ画像ｇ１は、看護支援装置１が、スマートフォン等の携帯型でディスプレイのサイズが比較的小さい端末２に送信する画像である。図１２で示すＵＩ画像ｇ１では、端末２の利用ユーザが入力情報の入力（音声メモ録音）をするための操作ボタンＢ１、入力情報の確認をするための操作ボタンＢ２、情報検索をするための操作ボタンＢ３が表示される場合の例を示す。
【００４７】
図１３はＵＩ画像の第四の例を示す図である。
図１２で示したＵＩ画像ｇ１において、端末２のユーザが入力情報の入力ボタンＢ１を押下すると、端末２は図１３で示すＵＩ画像ｇ２を出力する。端末２はＵＩ画像ｇ２を出力すると音声録音を待機する。ＵＩ画像ｇ２には図１３で示すようにスタート（ＳＴＡＲＴ）ボタンＢ４が表示される。ユーザがスタートボタンＢ４を押下操作すると、端末２の録音機能がマイクを介して入力情報の一態様である音声を取得する。ユーザによるスタートボタンＢ４の押下操作を検出すると端末２はそのスタートボタンＢ４に代えてストップ（ＳＴＯＰ）ボタンＢ５をＵＩ画像ｇ２に表示する。ユーザは音声による入力情報の入力を終了した場合ストップボタンＢ５を押下操作する。すると端末２は録音機能を停止する。端末２は取得した音声を文字変換してＵＩ画像ｇ２の入力情報表示領域１４Ａに出力するようにしてもよい。ＵＩ画像ｇ２には入力情報のアップロードボタンＢ６が表示される。ユーザはアップロードボタンＢ６を押下する。すると端末２は入力した音声を変換した文字情報を入力情報として看護支援装置１へ送信する。
【００４８】
図１４はＵＩ画像の第五の例を示す図である。
図１２で示したＵＩ画像ｇ１において、端末２のユーザが入力情報の確認ボタンＢ２を押下すると、端末２は患者選択一覧を表示する。ユーザが患者選択一覧において所望の患者の氏名を選択する。選択に応じて、端末２は図１４で示すＵＩ画像ｇ３を出力する。ＵＩ画像ｇ３には入力情報の一覧表示領域１５Ａ、患者情報表示領域１５Ｂ、更新ボタンＢ７などが表示される。端末２は患者情報表示領域１５Ｂにユーザから指定された患者の氏名を表示する。端末２はユーザによる患者の氏名の選択を検出すると、その患者の患者ＩＤを含む看護情報一覧要求を看護支援装置１へ送信する。
【００４９】
看護支援装置１は看護情報一覧要求を受信する。ＵＩ画像生成部１９は看護支援装置１が受信した看護情報一覧要求を取得する。ＵＩ画像生成部１９は看護情報一覧要求から患者ＩＤを取得する。ＵＩ画像生成部１９は、その患者ＩＤに紐づいてデータベース１０４に記録されている看護情報のうちの入力情報を少なくとも取得する。ＵＩ画像生成部１９は取得した入力情報を含む看護情報一覧を生成し、端末２へ送信する。ＵＩ画像生成部１９は患者ＩＤに基づいて取得した看護情報が示す入力情報のうち、所定の入力情報のみを含む看護情報一覧を生成してもよい。例えば、ＵＩ画像生成部１９は、現在時刻から所定時間前までの時刻の時間範囲に記録された入力情報のみを含む看護情報一覧を生成してもよい。または看護情報の各入力情報に重要度フラグが付されてデータベース１０４に記録されており、その重要度フラグが付された入力情報のみを含む看護情報一覧を生成してもよい。端末２は看護情報一覧に含まれる一つまたは複数の過去の入力情報の一覧表示領域１５Ａへ表示する。これにより、ユーザは所定の患者について過去に入力された入力情報を閲覧することが可能となり、その患者に対する過去の看護状況を把握することができる。また一覧表示領域１５Ａに表示された看護情報の対象とする患者が、看護師等のユーザの担当患者でなく、詳細な情報が不明な患者であったとしても、看護状況を瞬時に把握することができる。担当患者でなくても、ユーザは、把握した情報をもとに、早く、適切な看護ができる。端末２は入力情報の一覧表示領域１５Ａに表示した入力情報の文字を読み上げる音声出力処理を行うようにしてもよい。ユーザは更新ボタンＢ７を押下操作することで看護情報一覧要求の再送信を端末２に指示することができる。つまり更新ボタンＢ７の押下を検知した端末２は、看護情報一覧要求を看護支援装置１へ送信する。その後の処理は上記の処理と同様である。
【００５０】
図１５はＵＩ画像の第六の例を示す図である。
図１２で示したＵＩ画像ｇ１において、端末２のユーザが情報検索ボタンＢ３を押下すると、端末２は表示される患者選択一覧を表示する。ユーザが当該患者選択一覧において所望の患者の氏名を選択する。すると端末２は図１５で示すＵＩ画像ｇ４を出力する。ＵＩ画像ｇ４には検索内容入力欄１６Ａ、検索結果表示欄１６Ｂ、詳細表示欄１６Ｃ、音声入力停止ボタンＢ８、検索ボタンＢ９、読み上げボタンＢ１０、停止ボタンＢ１１などが含まれる。
【００５１】
ユーザは検索内容を入力する。一例として、ＵＩ画像ｇ４が表示された直後に、端末２は録音機能をＯＮしマイクを介して入力情報の一態様である音声を自動的に取得する。端末２は音声を解析して文字情報に変換し検索内容入力欄１６Ａに出力する。または、端末２は、入力手段のユーザによる操作によって文字情報を直接取得して、検索内容入力欄１６Ａに出力してもよい。ユーザが検索ボタンＢ９を押下操作すると端末２は、検索内容に含まれる文字情報と選択された患者の患者ＩＤを含む検索要求を看護支援装置１へ送信する。
【００５２】
看護支援装置１は検索要求を受信する。看護支援情報出力部１８は検索要求を取得する。看護支援情報出力部１８は検索要求に含まれる患者ＩＤと検索内容の文字情報とを取得する。検索内容には記録内容種別、ＳＯＡＰ種別、入力情報を特定する単語などが含まれてよい。看護支援情報出力部１８は患者ＩＤにより紐づいており、検索内容の文字情報を含む看護情報を検索して取得する。これにより看護支援情報出力部１８は、ユーザ所望の患者の看護情報の中から、記録内容種別、ＳＯＡＰ種別、入力情報を特定する単語等に一致する看護情報を取得することができる。看護支援情報出力部１８は取得した看護情報に含まれる入力情報を少なくも含む検索結果を端末２へ送信する。検索結果には看護情報として記録されている入力情報に紐づくレコードの全て（看護師ＩＤ、看護種別、ＳＯＡＰ種別、記録内容種別）が含まれてよい。以上の看護支援情報出力部１８の処理は、患者の識別子とその患者に関する過去の入力情報とを指定する検索要求（指定情報）の出力先装置（端末）からの取得に基づいて、患者の入力情報に関連する看護支援情報を出力先装置へ出力する処理の態様の一例である。
【００５３】
端末２は検索結果に含まれる入力情報を検索結果表示欄１６Ｂへ出力する。また端末２は検索結果に含まれる入力情報以外の情報（看護師ＩＤ、看護種別、ＳＯＡＰ種別、記録内容種別）を詳細表示欄１６Ｃへ出力する。ユーザは、読み上げボタンＢ１０を押下操作する。端末２は読み上げボタンＢ１０の押下操作を検知すると検索結果表示欄１６Ｂに表示された文字の読み上げ処理を行いスピーカからその読み上げ音声を出力する。これにより看護師等のユーザはハンズフリーで看護作業を行いながら検索内容に基づく過去の看護情報を聞くことができる。ユーザが停止ボタンＢ１１を押下操作した場合、その操作を検知した端末２は読み上げ処理を停止する。
【００５４】
以上、本発明の実施形態について説明したが、上述の処理によれば、看護情報を活用して対処アラートを生成することにより、看護者の患者への対処のための気づきを含む情報を効率よく通知することができる。
【００５５】
図１６は別の実施形態による看護支援装置１を示す図である。
図１６が示すように看護支援装置１は少なくとも、対処アラート生成部１６と、対処アラート出力部１７とを備える。
対処アラート生成部１６は、患者の看護情報と看護対処ルールとに基づいて看護に関する対処アラートを生成する。
対処アラート出力部１７は、患者の看護者に関する出力先装置に対処アラートを出力する。
【００５６】
上述の看護支援装置１は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。
【００５７】
上記プログラムは、前述した機能の一部を実現するためのものであっても良い。さらに、上記プログラムは、前述した機能をコンピュータシステムにすでに記録されているプログラムとの組み合わせで実現できるもの、いわゆる差分ファイル（差分プログラム）であっても良い。
【００５８】
この出願は、２０１８年１０月２３日に出願された日本国特願２０１８−１９９５２８を基礎とする優先権を主張し、その開示の全てをここに取り込む。
【産業上の利用可能性】
【００５９】
本発明は、看護支援装置、看護支援方法、記録媒体に適用してもよい。
【符号の説明】
【００６０】
１・・・看護支援装置
２・・・端末
１１・・・制御部
１２・・・モデル生成部
１３・・・取得部
１４・・・種別判定部
１５・・・記録部
１６・・・対処アラート生成部
１７・・・対処アラート出力部
１８・・・看護支援情報出力部
１９・・・ＵＩ画像生成部
１００・・看護支援システム
【図１】
2020085147.tif 000003
【図２】
2020085147.tif 000004
【図３】
2020085147.tif 000005
【図４】
2020085147.tif 000006
【図５】
2020085147.tif 000007
【図６】
2020085147.tif 000008
【図７】
2020085147.tif 000009
【図８】
2020085147.tif 000010
【図９】
2020085147.tif 000011
【図１０】
2020085147.tif 000012
【図１１】
2020085147.tif 000013
【図１２】
2020085147.tif 000014
【図１３】
2020085147.tif 000015
【図１４】
2020085147.tif 000016
【図１５】
2020085147.tif 000017
【図１６】
2020085147.tif 000018
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
患者の看護情報と看護対処ルールとに基づいて看護に関する対処アラートを生成する対処アラート生成部と、
前記患者の看護者に関する出力先装置に前記対処アラートを出力する対処アラート出力部と、
を備える看護支援装置。
【請求項２】
前記対処アラート生成部は、前記看護情報に含まれる処置に関する情報を特定し、前記処置に対応する所定処置を示す前記看護対処ルールを用いて、前記所定処置を促す対処アラートを生成する
請求項１に記載の看護支援装置。
【請求項３】
前記看護対処ルールが、特定の医薬品を示す情報に関連付けられた所定時間を示すルールを含み、
前記看護情報は、第１の時刻に登録された第１の看護情報と、前記第１の時刻よりも後の第２の時刻に登録された第２の看護情報とを含み、
前記対処アラート生成部は、前記第１および第２の看護情報が前記医薬品を示す情報を含み、かつ、前記第１の時刻と前記第２の時刻との間隔が前記所定時間以内である場合に、前記対処アラートを生成する
請求項２に記載の看護支援装置。
【請求項４】
前記看護情報は、前記患者の生体情報を含み、
前記看護対処ルールは、前記生体情報に対応する所定処置を示すルールを含み、
前記対処アラート生成部は、前記対処アラートとして、前記所定処置を促す対処アラートを生成する
請求項１から請求項３の何れか一項に記載の看護支援装置。
【請求項５】
前記患者の識別子と前記患者に関する過去の入力情報とを指定する指定情報の前記出力先装置からの取得に応答して、前記患者の入力情報に関連する看護支援情報を前記出力先装置へ出力する看護支援情報出力部と、
をさらに備える請求項１から請求項３の何れか一項に記載の看護支援装置。
【請求項６】
所定の通信装置との通信に基づいて動作を開始した前記出力先装置から前記看護情報となる入力情報を取得する取得部と、
をさらに備える請求項１から請求項４の何れか一項に記載の看護支援装置。
【請求項７】
前記看護情報に基づいて算出された重症度合を算出する重症度合算出部と、
前記重症度合に基づいて患者ごとの表示態様が異なる画像を生成して前記出力先装置へ出力する画像生成部と、
をさらに備える請求項１から請求項６の何れか一項に記載の看護支援装置。
【請求項８】
患者の看護情報と看護対処ルールとに基づいて看護に関する対処アラートを生成し、
前記患者の看護者に関する出力先装置に前記対処アラートを出力する
ことを含む看護支援方法。
【請求項９】
コンピュータに、
患者の看護情報と看護対処ルールとに基づいて看護に関する対処アラートを生成し、
前記患者の看護者に関する出力先装置に前記対処アラートを出力する、
ことを実行させるプログラム。
【手続補正３】
【補正対象書類名】明細書
【補正対象項目名】０００１
【補正方法】変更
【補正の内容】
【０００１】
本発明は、看護支援装置、看護支援方法、プログラムに関する。
【手続補正４】
【補正対象書類名】明細書
【補正対象項目名】０００６
【補正方法】変更
【補正の内容】
【０００６】
この発明の目的の一例は、上述の課題を解決する看護支援装置、看護支援方法、プログラムを提供することである。
【手続補正５】
【補正対象書類名】明細書
【補正対象項目名】０００９
【補正方法】変更
【補正の内容】
【０００９】
本発明の第３の態様によれば、プログラムは、コンピュータに、患者の看護情報と看護対処ルールとに基づいて看護に関する対処アラートを生成し、前記患者の看護者に関する出力先装置に前記対処アラートを出力する、ことを実行させる。
【国際調査報告】
2020085147.tif 000019
2020085147.tif 000020
2020085147.tif 000021
2020085147.tif 000022